(57)【要約】【課題】携帯情報通信端末の利用者がテレビ番組を視聴している間は着信を拒否し、そうでない時は着信を許可する。【解決手段】携帯情報通信端末を利用してテレビ番組を視聴する利用者が、着信拒否設定キー４２ａを押して（Ｓ１０）、着信拒否を設定しておけば（Ｓ１２）、着信を拒否できる。しかも、テレビ番組の終了時刻をサーバ４ｃから取得して（Ｓ１６）、着信拒否を終了する時刻とするため、視聴しているテレビ番組が終了すれば（Ｓ２０、Ｙｅｓ）、着信拒否が解除される（Ｓ２２）。これにより、携帯情報通信端末の利用者がテレビ番組を視聴している間は着信を拒否し、そうでない時は着信を許可することができる。【選択図】  図６
2004282537.tif 000002
【特許請求の範囲】
【請求項１】
電話の着信を報知する着信報知手段と、
前記着信報知手段による報知を停止する着信拒否手段と、
前記着信拒否手段の動作を終了する動作終了時刻を取得する動作終了時刻取得手段と、
を備えた携帯情報通信端末。
【請求項２】
請求項１に記載の携帯情報通信端末であって、
テレビ番組の内容を表示するテレビ番組表示手段を備え、
前記動作終了時刻取得手段は、前記テレビ番組のチャンネルおよび前記着信拒否手段の動作開始時刻に基づき前記テレビ番組の終了する番組終了時刻を取得して、前記番組終了時刻を前記動作終了時刻とする、
携帯情報通信端末。
【請求項３】
請求項１に記載の携帯情報通信端末であって、
前記動作終了時刻および前記着信拒否手段の動作開始時刻が設定可能である、
携帯情報通信端末。
【請求項４】
請求項１に記載の携帯情報通信端末であって、
前記テレビ番組と放送時間との対応を示す番組表を取得する番組表取得手段と、
前記番組表から前記テレビ番組を指定するテレビ番組指定手段と、
を備え、
前記着信拒否手段は、前記テレビ番組指定手段によって指定されたテレビ番組の放送開始時刻から動作を開始し、
前記動作終了時刻取得手段は、前記番組表において指定されたテレビ番組の放送終了時刻を前記動作終了時刻とする、
携帯情報通信端末。
【請求項５】
電話の着信を報知する着信報知手段を有する携帯情報通信端末における処理をコンピュータに実行させるためのプログラムであって、
前記着信報知手段による報知を停止する着信拒否処理と、
前記着信拒否処理を終了する動作終了時刻を取得する動作終了時刻取得処理と、
をコンピュータに実行させるためのプログラム。
【請求項６】
電話の着信を報知する着信報知手段を有する携帯情報通信端末における処理をコンピュータに実行させるためのプログラムを記録したコンピュータによって読み取り可能な記録媒体であって、
前記着信報知手段による報知を停止する着信拒否処理と、
前記着信拒否処理を終了する動作終了時刻を取得する動作終了時刻取得処理と、
をコンピュータに実行させるためのプログラムを記録したコンピュータによって読み取り可能な記録媒体。
【発明の詳細な説明】
【０００１】
【発明の属する技術分野】
本発明は、携帯電話等の携帯情報通信端末においてテレビチューナーを内蔵したものに関し、特にテレビ視聴時の着信処理に関する。
【０００２】
【従来の技術】
近年、携帯電話等の携帯情報通信端末にテレビチューナーを内蔵したものが普及している。この携帯情報通信端末によれば、テレビを視聴することが可能である。ところで、このような携帯情報通信端末はディスプレイを有している。ディスプレイには、テレビ番組を表示させる（例えば、特許文献１（図１６）を参照）。ここで、ディスプレイにテレビ番組を表示させている間に電話が着信すると、携帯情報通信端末の利用者が思わず電話に出てしまう。これにより、テレビ番組の視聴が妨げられる。
【０００３】
携帯電話等の携帯情報通信端末には着信を拒否する機能があり、携帯情報通信端末の利用者が、テレビ番組を視聴する前に、着信を拒否するように携帯情報通信端末を設定しておくことができる。これによれば、ディスプレイにテレビ番組を表示させている間に電話がかかってきても、着信は拒否されるため、携帯情報通信端末の利用者が電話に出ることもなく、テレビ番組の視聴の妨げにはならない。
【０００４】
【特許文献１】
特開平１１−６９３４７号公報（図１６）
【発明が解決しようとする課題】
しかしながら、携帯情報通信端末の利用者がテレビ番組の視聴を終えても、着信を拒否する設定はそのままである。このままでは、携帯情報通信端末は着信が行えない。もちろん、利用者が着信を拒否する設定を解除すれば着信が行える。しかし、利用者はテレビ番組の視聴を終えた後に、着信を拒否する設定を解除することを忘れてしまいがちである。よって、いつまでも着信が行えないままとなり、利用者にとって不便である。
【０００５】
そこで、本発明は、携帯情報通信端末の利用者がテレビ番組を視聴している間は着信を拒否し、そうでない時は着信を許可することを課題とする。
【０００６】
【課題を解決するための手段】
本発明は携帯情報通信端末に関する。本発明に係る携帯情報通信端末は、着信報知手段、着信拒否手段および動作終了時刻取得手段を備える。
【０００７】
着信報知手段は、電話の着信を報知する。着信拒否手段は、着信報知手段による報知を停止する。動作終了時刻取得手段は、着信拒否手段の動作を終了する動作終了時刻を取得する。
【０００８】
【発明の実施の形態】
以下、本発明の実施の形態を図面を参照して説明する。
【０００９】
図１は、携帯情報通信端末１が使用される通信システムの構成の概要を示す図である。携帯情報通信端末１は、他の電話機との通話、インターネット網に接続されたサーバへのアクセス、テレビ番組の視聴に利用できる。
【００１０】
携帯情報通信端末１を利用して他の電話機との通話を行う場合、移動体通信用無線基地局２、移動体通信用無線交換機３ａ、公衆回線通信網３ｂを介して、通話を行う。なお、公衆回線通信網３ｂには図示省略した他の電話機が、図示省略した他の移動体通信用無線交換機を介して接続されている。
【００１１】
携帯情報通信端末１を利用してインターネット網へのアクセスを行う場合、移動体通信用無線基地局２、ゲートウェイ４ａ、インターネット網４ｂを介して、サーバ４ｃにアクセスする。なお、サーバ４ｃは、テレビ番組と放送時間との対応を示す番組表を記録する。
【００１２】
携帯情報通信端末１を利用してテレビ番組の視聴を行う場合、電波塔５ａを介して、テレビ局５ｂからテレビ番組の内容を取得する。なお、地上波デジタルテレビのテレビ番組を視聴することも可能である。
【００１３】
図２は、携帯情報通信端末１の構成を示すブロック図である。携帯情報通信端末１は、制御部１０、無線通信部２０、テレビ番組受信部３０、キー入力デバイス４２、ディスプレイ４４、メモリ４６、音声入出力デバイス４８、アンテナ５２、５４を備える。制御部１０は、無線通信部２０、テレビ番組受信部３０、キー入力デバイス４２、ディスプレイ４４、メモリ４６、音声入出力デバイス４８との間で情報をやりとりする。詳細は後述する。
【００１４】
無線通信部２０は、移動体通信用無線基地局２との通信を行うためのものである。無線通信部２０は、共用器２１、受信復調部２２、受信データ復号部２４、送信変調部２６、送信データ符号化部２８を有する。
【００１５】
共用器２１は、アンテナ５２を介して受信した受信信号を受信復調部２２に、送信変調部２６から出力された送信信号をアンテナ５２に出力する。
【００１６】
受信復調部２２は、受信信号を復調する。受信データ復号部２４は、復調された受信信号を復号化する。
【００１７】
送信データ符号化部２８は、制御部１０から受けた信号を符号化する。送信変調部２６は、送信データ符号化部２８の出力を変調して、送信信号を出力する。
【００１８】
テレビ番組受信部３０は、テレビ番組を受信するためのものである。テレビ番組受信部３０は、周知のテレビチューナー３２を有する。テレビチューナー３２はアンテナ５４を介して、制御部１０により指定されたチャンネルのテレビ番組を受信する。そして、制御部１０に、テレビ番組の内容を送る。
【００１９】
キー入力デバイス４２は、図３に示すように、携帯情報通信端末１の表面に設けられたキーである。例えば、数字を入力するための、いわゆるテンキーなどである。キー入力デバイス４２により、さまざまな情報（例えば、着信拒否の設定および解除など）を、制御部１０に与えることができる。
【００２０】
ディスプレイ４４は、図３に示すように、携帯情報通信端末１の表面に設けられたディスプレイである。ディスプレイ４４は、制御部１０から送られた情報（例えば、テレビ番組の内容、後述する番組表）を表示する。
【００２１】
メモリ４６は、制御部１０が情報を読み出し、書き込むためのメモリである。メモリ４６には、例えば、着信拒否のメッセージが記録されている。さらに、メモリ４６には、制御部１０の機能（詳細は後述する）を実現するためのプログラムを記録しておくようにしてもよい。制御部１０は、かかるプログラムをメモリ４６から読み出して実行する。
【００２２】
音声入出力デバイス４８は、制御部１０から音声信号を受けて音声として出力し（例えば、スピーカ）、かつ制御部１０に音声信号を入力する（例えば、マイク）。
【００２３】
アンテナ５２、５４は、それぞれ、無線通信部２０、テレビ番組受信部３０に接続されたアンテナである。ただし、図３に示すように、アンテナ５２、５４を一本のアンテナ５０として兼用してもよい。なお、アンテナ５２は、移動体通信用無線基地局２から受信信号を受け、移動体通信用無線基地局２へ送信信号を送る。
【００２４】
本発明の実施形態は、制御部１０に特徴があり、制御部１０について説明する。
【００２５】
第一の実施形態
図４は、第一の実施形態にかかる携帯情報通信端末１の構成を示すブロック図である。第一の実施形態にかかる携帯情報通信端末１は、制御部１０、無線通信部２０、テレビ番組受信部３０、着信拒否設定キー４２ａ、着信拒否解除キー４２ｂ、ディスプレイ４４、着信拒否メッセージメモリ４６ａ、スピーカ４８ａ、アンテナ５２、５４を備える。無線通信部２０、テレビ番組受信部３０、アンテナ５２、５４は図２を参照して説明したものと同様である。
【００２６】
制御部１０は、テレビ番組取得部１１、着信報知部１２、着信拒否部１４、着信拒否メッセージ送信部１６、チャンネル・時刻取得部１８、動作終了時刻取得部１９を備える。
【００２７】
テレビ番組取得部１１は、テレビチューナー３２からテレビ番組の内容を取得してディスプレイ４４に映像を表示させる。しかも、スピーカ４８ａに音声を出させる。
【００２８】
着信報知部１２は、受信データ復号部２４から受信信号を受ける。この受信信号が、他の電話機から着信したものであるか否かを判定する。そして、着信であれば、着信を報知する着信音をスピーカ４８ａに出させることにより、電話の着信を報知する。
【００２９】
着信拒否部１４は、着信報知部１２による電話の着信報知を停止する。よって、電話の着信があっても、スピーカ４８ａから着信音が鳴ることはない。しかも、着信拒否部１４は、着信拒否メッセージ送信部１６を作動させる。なお、着信拒否部１４は、着信拒否設定キー４２ａを押すことにより作動を開始する。また、着信拒否解除キー４２ｂを押すと、着信拒否部１４は動作を停止する。これにより、着信報知部１２は動作することになる。
【００３０】
着信拒否メッセージ送信部１６は、受信データ復号部２４から受信信号を受けると着信があったと判定する。そして、着信拒否メッセージメモリ４６ａから着信拒否メッセージ（例えば、「ただ今、電話に出ることができません。１０時ごろにおかけなおしください。」）を読み出し、送信データ符号化部２８に送る。これにより、携帯情報通信端末１に電話をかけてきた、他の電話機に、着信拒否メッセージを伝えることができる。なお、着信拒否メッセージ中の「１０時ごろ」というのは、視聴中の番組の放送が終了する時刻であり、動作終了時刻取得部１９から取得する。また、着信拒否メッセージは、上記のような携帯情報通信端末１に予め設定されたデフォルトのものでもよいが、ユーザが作成したものであってもよい。ただし、ユーザが作成したものを用いる場合は、「○○時ごろ」というメッセージが自動的には入らない。
【００３１】
チャンネル・時刻取得部１８は、着信拒否部１４から動作を開始した旨の信号を受け、着信拒否部１４が動作を開始した動作開始時刻を取得する。さらに、テレビ番組取得部１１から現在視聴しているテレビ番組のチャンネルを取得する。取得した動作開始時刻およびテレビ番組のチャンネルは、送信データ符号化部２８を介してサーバ４ｃに送られる。
【００３２】
サーバ４ｃ（図１参照）は、図５に示すように、各チャンネルごとにテレビ番組と放送時間との対応を示す番組表を記録している。サーバ４ｃは、送られてきたチャンネルおよび動作開始時刻から、テレビ番組の終了する番組終了時刻を取得する。例えば、（着信拒否部１４の）動作開始時刻が９時、チャンネルがＸであったとする。サーバ４ｃは、携帯情報通信端末１の利用者はワイドショーを視聴しているものと判定し、番組終了時刻を１０時と判定する。そして、番組終了時刻を携帯情報通信端末１に向けて送信する。
【００３３】
動作終了時刻取得部１９は、サーバ４ｃから受信データ復号部２４を介して番組終了時刻を受け、着信拒否部１４の動作終了時刻とする。例えば、番組終了時刻が１０時である場合、着信拒否部１４は１０時には動作を終了する。これにより、着信報知部１２は動作することになる。
【００３４】
着信拒否設定キー４２ａは、キー入力デバイス４２の一種であり、着信拒否部１４を作動させるためのキーである。着信拒否解除キー４２ｂは、キー入力デバイス４２の一種であり、着信拒否部１４を停止させるためのキーである。ディスプレイ４４は、テレビ番組の映像を表示するテレビ番組表示手段として機能する。着信拒否メッセージメモリ４６ａは、メモリ４６の一種であり、着信拒否メッセージを記録する。スピーカ４８ａは、音声入出力デバイス４８の一種であり、音声を発する。
【００３５】
次に、第一の実施形態の動作を図６のフローチャートを参照して説明する。
【００３６】
まず、利用者により、着信拒否設定キー４２ａが押される（Ｓ１０）。ただし、この時、利用者は携帯情報通信端末１によりテレビ番組を視聴しているものとする。着信拒否設定キー４２ａが押されることにより、着信拒否が設定される（Ｓ１２）。すなわち、着信拒否部１４が作動を開始し、着信報知部１２による着信の報知が停止される。そして、着信拒否メッセージ送信部１６を作動させる。これにより、他の電話機から、公衆回線通信網３ｂ、移動体通信用無線交換機３ａ、移動体通信用無線基地局２を介して携帯情報通信端末１に電話がかかってきても、スピーカ４８ａから着信音が鳴ることはない。しかも、他の電話機には、着信拒否メッセージ（例えば、「ただ今、電話に出ることができません。１０時ごろにおかけなおしください。」）が伝えられる。
【００３７】
そして、チャンネル・時刻取得部１８により、着信拒否部１４が動作を開始した動作開始時刻およびテレビ番組のチャンネルが取得される（Ｓ１４）。チャンネル・時刻取得部１８は、取得した動作開始時刻およびテレビ番組のチャンネルを、送信データ符号化部２８を介してサーバ４ｃに送る（Ｓ１５）。サーバ４ｃは、送られてきたチャンネルおよび動作開始時刻から、テレビ番組の終了する番組終了時刻を取得する。そして、番組終了時刻を携帯情報通信端末１に向けて送信する（Ｓ１６）。動作終了時刻取得部１９は、サーバ４ｃから受信データ復号部２４を介して番組終了時刻を受け、着信拒否部１４の動作終了時刻とする。動作終了時刻は、着信拒否メッセージ送信部１６にも送られる。
【００３８】
例えば、着信拒否部１４の動作開始時刻が９時、チャンネルがＸであったとする。サーバ４ｃは、携帯情報通信端末１の利用者はワイドショーを視聴しているものと判定し、番組終了時刻を１０時と判定する（図５参照）。そして、番組終了時刻を携帯情報通信端末１に向けて送信する（Ｓ１６）。そして、動作終了時刻取得部１９は、サーバ４ｃから受信データ復号部２４を介して番組終了時刻（１０時）を受け、着信拒否部１４の動作終了時刻とする。よって、着信拒否部１４は１０時には動作を終了する。
【００３９】
ここで、着信拒否解除キー４２ｂが押された場合（Ｓ１８、Ｙｅｓ）は、着信拒否部１４は動作を停止する。すなわち、着信拒否の設定は解除される（Ｓ２２）。着信拒否解除キー４２ｂが押されていなければ（Ｓ１８、Ｎｏ）、着信拒否部１４は動作終了時刻になったか否かを判定する（Ｓ２０）。動作終了時刻になっていなければ（Ｓ２０、Ｎｏ）、着信拒否解除キー４２ｂが押されたか否かの判定（Ｓ１８）に戻る。動作終了時刻になっていれば（Ｓ２０、Ｙｅｓ）、着信拒否部１４は動作を停止する。すなわち、着信拒否の設定は解除される（Ｓ２２）。
【００４０】
例えば、動作終了時刻が１０時である場合、９時３０分に着信拒否解除キー４２ｂが押されれば（Ｓ１８、Ｙｅｓ）、動作終了時刻には達していないものの、着信拒否の設定は解除される（Ｓ２２）。また、１０時になれば（Ｓ２０、Ｙｅｓ）、たとえ着信拒否解除キー４２ｂを押さずとも、着信拒否の設定は解除される（Ｓ２２）。
【００４１】
第一の実施形態によれば、携帯情報通信端末１を利用してテレビ番組を視聴する利用者が、着信拒否設定キー４２ａを押して着信拒否をしておけば、着信を拒否できる。しかも、テレビ番組の終了時刻をサーバ４ｃから取得して、着信拒否部１４の動作終了時刻とするため、視聴しているテレビ番組が終了すれば、着信拒否が解除される。これにより、携帯情報通信端末１の利用者がテレビ番組を視聴している間は着信を拒否し、そうでない時は着信を許可することができる。
【００４２】
第二の実施形態
第二の実施形態は、着信拒否部１４の動作終了時刻のみならず、動作開始時刻をも設定できる点が第一の実施形態と異なる。
【００４３】
図７は、第二の実施形態にかかる携帯情報通信端末１の構成を示すブロック図である。第二の実施形態にかかる携帯情報通信端末１は、制御部１０、無線通信部２０、テレビ番組受信部３０、着信拒否解除キー４２ｂ、ディスプレイ４４、着信拒否メッセージメモリ４６ａ、スピーカ４８ａ、アンテナ５２、５４を備える。無線通信部２０、着信拒否解除キー４２ｂ、着信拒否メッセージメモリ４６ａ、スピーカ４８ａ、アンテナ５２は図２を参照して説明したものと同様である。ただし、テレビ番組受信部３０およびアンテナ５４は、図２を参照して説明したものと同様であるが図示省略している。
【００４４】
制御部１０は、着信報知部１２、着信拒否部１４、番組表取得部１５、着信拒否メッセージ送信部１６、テレビ番組指定部１７、動作終了時刻取得部１９を備える。
【００４５】
着信報知部１２、着信拒否部１４、着信拒否メッセージ送信部１６は第一の実施形態と同様である。ただし、着信拒否部１４は、テレビ番組指定部１７により指定されたテレビ番組の放送開始時刻を、テレビ番組指定部１７から受け、動作開始時刻とする。
【００４６】
番組表取得部１５は、サーバ４ｃから番組表を取得し、ディスプレイ４４に表示させる。
【００４７】
テレビ番組指定部１７は、ディスプレイ４４に表示されたテレビ番組から、利用者が視聴する予定のものを指定するためのものである。テレビ番組の指定は、例えば、ディスプレイ４４に番組表とカーソルとをあわせて表示し、カーソルを動かすことで行える。カーソルを動かすことは、例えば、キー等により行える。
【００４８】
なお、テレビ番組を指定すれば、テレビ番組の放送開始時刻および放送終了時刻をも取得できる。番組表が番組表取得部１５により取得されているからである。例えば、番組表が図５に示すようなものであった場合、ワイドショーを指定したとする。この場合、放送開始時刻は８時であり、放送終了時刻は１０時であるといったことが取得できる。
【００４９】
動作終了時刻取得部１９は、テレビ番組指定部１７からテレビ番組の終了時刻を受け、着信拒否部１４の動作終了時刻とする。
【００５０】
ディスプレイ４４は、番組表を表示する。
【００５１】
なお、これまでの説明では、番組表取得部１５により表示された番組表において指定されたテレビ番組の放送開始時刻および放送終了時刻を、着信拒否部１４の動作開始時刻および動作終了時刻とした。しかし、着信拒否部１４の動作開始時刻および動作終了時刻を、直接、キー等を用いて、着信拒否部１４および動作終了時刻取得部１９に入力してもよい。例えば、動作開始時刻が８時０分の場合、テンキーにより、“０８００”と打って、動作開始時刻を与えてもよい。利用者自身が視聴したいテレビ番組の放送開始時刻および放送終了時刻を判っている場合は、直接、キー等を用いて入力する方が便利である。
【００５２】
次に、第二の実施形態の動作を図８のフローチャートを参照して説明する。
【００５３】
まず、利用者自身が視聴したいテレビ番組の放送開始時刻および放送終了時刻を判っているか否か（Ｓ３０）により、動作が異なる。なお、第一の実施形態と併用する場合は、タイマー設定キーを設け、タイマー設定キーを押さなければ第一の実施形態を、タイマー設定キーを押せば第二の実施形態を使用するようにしてもよい。
【００５４】
判っているならば（Ｓ３０、Ｙｅｓ）、直接、キー等を用いて、着信拒否部１４の動作開始時刻および動作終了時刻を、着信拒否部１４および動作終了時刻取得部１９に入力する（Ｓ３２）。そして、着信拒否部１４の動作開始時刻になるまで待機する（Ｓ３７、Ｎｏ）。
【００５５】
判っていないならば（Ｓ３０、Ｎｏ）、番組表取得部１５は、サーバ４ｃから番組表を取得し、ディスプレイ４４に表示させる（Ｓ３４）。そして、テレビ番組指定部１７により、視聴する予定のテレビ番組を指定し、着信拒否部１４の動作開始時刻および動作終了時刻を設定する（Ｓ３６）。視聴する予定のテレビ番組の放送開始時刻が、着信拒否部１４の動作開始時刻となる。視聴する予定のテレビ番組の放送終了時刻が、着信拒否部１４の動作終了時刻となる。そして、着信拒否部１４の動作開始時刻になるまで待機する（Ｓ３７、Ｎｏ）。
【００５６】
着信拒否部１４の動作開始時刻になれば（Ｓ３７、Ｙｅｓ）、着信拒否が設定される（Ｓ３８）。すなわち、着信拒否部１４が動作を開始し、着信報知部１２による着信の報知が停止される。そして、着信拒否メッセージ送信部１６を作動させる。これにより、他の電話機から、公衆回線通信網３ｂ、移動体通信用無線交換機３ａ、移動体通信用無線基地局２を介して携帯情報通信端末１に電話がかかってきても、スピーカ４８ａから着信音が鳴ることはない。しかも、他の電話機には、着信拒否メッセージ（例えば、「ただ今、電話に出ることができません。１０時ごろにおかけなおしください。」）が伝えられる。
【００５７】
ここで、着信拒否解除キー４２ｂが押された場合（Ｓ４０、Ｙｅｓ）は、着信拒否部１４は動作を停止する。すなわち、着信拒否の設定は解除される（Ｓ４４）。着信拒否解除キー４２ｂが押されていなければ（Ｓ４０、Ｎｏ）、着信拒否部１４は動作終了時刻になったか否かを判定する（Ｓ４２）。動作終了時刻になっていなければ（Ｓ４２、Ｎｏ）、着信拒否解除キー４２ｂが押されたか否かの判定（Ｓ４０）に戻る。動作終了時刻になっていれば（Ｓ４２、Ｙｅｓ）、着信拒否部１４は動作を停止する。すなわち、着信拒否の設定は解除される（Ｓ４４）。
【００５８】
第二の実施形態によれば、携帯情報通信端末１を利用してテレビ番組を視聴する利用者が、テレビ番組の放送開始時刻および放送終了時刻を知っていれば、前もって、着信拒否部１４の動作開始時刻および動作終了時刻を、直接、テンキー等を用いて、着信拒否部１４および動作終了時刻取得部１９に入力できる。よって、携帯情報通信端末１の利用者がテレビ番組を視聴している間は着信を拒否し、そうでない時は着信を許可することができる。
【００５９】
しかも、たとえテレビ番組の放送開始時刻および放送終了時刻を知らなくても、番組表取得部１５によりディスプレイ４４に番組表を表示させてテレビ番組を指定することにより、テレビ番組の放送開始時刻および放送終了時刻を取得できる。テレビ番組の放送開始時刻および放送終了時刻を、着信拒否部１４の動作開始時刻および動作終了時刻とすることにより、携帯情報通信端末１の利用者がテレビ番組を視聴している間は着信を拒否し、そうでない時は着信を許可することができる。
【００６０】
また、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分（例えば、テレビ番組取得部１１、着信報知部１２、着信拒否部１４、番組表取得部１５、着信拒否メッセージ送信部１６、テレビ番組指定部１７、チャンネル・時刻取得部１８、動作終了時刻取得部１９など）を実現するプログラムを記録したメディアを読み取らせて、ハードディスク、フラッシュメモリなどにインストールする。このような方法でも、上記の機能を実現できる。
【図面の簡単な説明】
【図１】携帯情報通信端末１が使用される通信システムの構成の概要を示す図である。
【図２】携帯情報通信端末１の構成を示すブロック図である。
【図３】携帯情報通信端末１の外観を示す図である。
【図４】第一の実施形態にかかる携帯情報通信端末１の構成を示すブロック図である。
【図５】サーバ４ｃが記録する番組表を示す図である。
【図６】第一の実施形態の動作を示すフローチャートである。
【図７】第二の実施形態にかかる携帯情報通信端末１の構成を示すブロック図である。
【図８】第二の実施形態の動作を示すフローチャートである。
【符号の説明】
１  携帯情報通信端末
１０  制御部
１１  テレビ番組取得部
１２  着信報知部
１４  着信拒否部
１５  番組表取得部
１６  着信拒否メッセージ送信部
１７  テレビ番組指定部
１８  チャンネル・時刻取得部
１９  動作終了時刻取得部
４２ａ  着信拒否設定キー
４２ｂ  着信拒否解除キー
４４  ディスプレイ
４６ａ  着信拒否メッセージメモリ
４８ａ  スピーカ
【図１】
2004282537.tif 000003
【図２】
2004282537.tif 000004
【図３】
2004282537.tif 000005
【図４】
2004282537.tif 000006
【図５】
2004282537.tif 000007
【図６】
2004282537.tif 000008
【図７】
2004282537.tif 000009
【図８】
2004282537.tif 000010